(57)【要約】      （修正有）【課題】照明の光源に、赤緑青のＬＥＤ光源で、白色の他に光源色を変化させることで電気スタンドの応用範囲を広げる照明器具を提供する。【解決手段】電気スタンドの光源にＬＥＤを使用することで、白色から、さまざまな光源色を赤緑青のＬＥＤ光源のコントロールで、光源色の調節ができる。光源に赤緑青のＬＥＤ光源を使用した電気スタンドの用途は電飾効果の応用で、室内で幅広く利用できる。本体ベース５、にＬＥＤ光源、赤緑青の点灯スイッチ７、赤緑青の共通リセットスイッチ６が構成され、セード１に収納取付されたＬＥＤ光源の前面に、乳白色アクリル板２がある。乳白色アクリル板の位置は、ＬＥＤ光源表面から５０ｍｍの位置にある。ＬＥＤ光源は、乳白色アクリル板を透すことでＬＥＤ光源を直視せず乳白色アクリル板で合成された照明色となる。本体には、照明の向きを変えるアーム３、電源入力ジャック４、電源のＡＣアダプター８、がある。【選択図】図１
0003161235.tif 000002
【実用新案登録請求の範囲】
【請求項１】
赤緑青ＬＥＤ光源の前面に乳白色アクリル板があり、赤緑青の光源が合成されＬＥＤ光源を直視しない明りのＬＥＤ照明器具。
【請求項２】
赤緑青の点灯スイッチ３個、赤緑青の共通リセット／ＯＦＦスイッチ１個の構成で、点灯スイッチ１個から３個の操作で赤緑青黄桃空白色のコントロールができ、消灯は、どのＬＥＤ光源にも共通リセット／ＯＦＦスイッチの操作で，できるＬＥＤ照明器具。
【考案の詳細な説明】
【技術分野】
【０００１】本考案は、電気スタンドに関する。
【背景技術】
【０００２】電気スタンドの光源は蛍光灯や電球が多く用いられている。
机の上での読書や、床に置いての作業には、適しているが、使用目的の範囲が限られている。
【先行技術文献】
【特許文献】
【０００３】
【特許文献１】特開２００８−２９３９４６
【考案の概要】
【考案が解決しようとする課題】
【０００４】電気スタンドでの照明は、その明りで読書や作業の用途に敵するが、照明の光源に、赤緑青のＬＥＤ光源で、白色の他に光源色を変化させることで電気スタンドの応用範囲を広げる。
【課題を解決するための手段】
【０００５】本考案は以上の点を解決するために、次のような構成を採用する。
〈構成１〉
照明は、ＬＥＤ光源を乳白色アクリル板を透した明りとなる。【０００６】〈構成２〉
光源に、１０ｍｍ／１５０ｍｍ基板に赤緑青それぞれのＬＥＤ１０個が固定されたＬＥＤ基板を固定用放熱板へ縦に配列、赤緑青各６個、１８個のＬＥＤ基板を赤緑青の順で固定する。【０００７】〈構成３〉
ＬＥＤ光源コントロールの操作を簡単にするためフリップフロップＩＣの応用で赤緑青３個の点灯スイッチ、赤緑青１個の共通リセット／ＯＦＦスイッチがある。
【考案の効果】
【０００８】本考案のＬＥＤ照明器具には次のような効果がある。
従来の電気スタンドに使用される光源は、電球色か蛍光灯色に限られるが、ＬＥＤ光源にした場合、白色照明の他に用途に応じた、さまざまな光源色で、室内での電飾効果がある。
【図面の簡単な説明】
【０００９】
【図１】この考案の本体図を示す。
【図２】この考案のＬＥＤ光源基板配列図を示す。
【図３】この考案のＬＥＤ光源を駆動する電気回路を示す。
【考案を実施するための形態】
【００１０】以下、本考案を図の具体例を用いて詳細に説明する。
【実施例１】
【００１１】図１は本体図で、本体ベース５、にＬＥＤ光源、赤緑青の点灯スイッチ７、赤緑青の共通リセットスイッチ６、が構成されセード１、に収納取付されたＬＥＤ光源の前面に、構成１の乳白色アクリル板２、がある。
乳白色アクリル板の位置は、ＬＥＤ光源表面から５０ｍｍの位置にある。
ＬＥＤ光源は、乳白色アクリル板を透すことでＬＥＤ光源を直視せず乳白色アクリル板で合成された照明色となる。
本体には、照明の向きを変えるアーム３、電源入力ジャック４、電源のＡＣアダプター８、がある。【００１２】図２は、構成２のＬＥＤ光源基板形状９、の具体図を示す。
赤緑青のＬＥＤ基板は、固定用放熱板１０、に赤緑青の順で配列固定される。
ＬＥＤ基板固定用放熱板には、セードに固定するためのビス穴１１、がある。
赤緑青の各ＬＥＤ基板は、並列配線され全ＬＥＤ基板のアノード側は、２４Ｖプラスコモンになる。
赤緑青の各ＬＥＤ基板カソード側は、それぞれ赤緑青のドライブトランジスターに、接続される。
【実施例２】
【００１３】図３は、ＬＥＤ光源を駆動する構成３の電気回路図である。
赤ｓ１緑ｓ２青ｓ３の点灯スイッチ、赤緑青共通リセット／ＯＦＦスイッチｓ４、リセットスイッチｓ４は、Ｄ１Ｄ２Ｄ３各ダイオードのカソードコモンにしてｓ４に接続されて作動する。
電源は、ＡＣアダプター２４Ｖ１Ａで、供給される。
ＩＣ１フリップフロップＩＣには、ＩＣ２の固定定電圧出力５Ｖを供給する。
赤緑青のＬＥＤ光源、カソード側は、赤緑青ＬＥＤ光源のドライブトランジスターＴＲ１ＴＲ２ＴＲ３コレクターにそれぞれ接続される。
赤緑青のプッシュスイッチ操作で、ｓ１−ＯＮ赤ｓ２−ＯＮ緑ｓ３−ＯＮ青色になる。
ｓ１ｓ２−ＯＮ黄色ｓ１ｓ３−ＯＮ桃色ｓ２ｓ３−ＯＮ空色ｓ１ｓ２ｓ３−ＯＮ白色になる。
【符号の説明】
【００１４】  １  セード
２  乳白色アクリル板
３  アーム
４  ＡＣアダプタープラグ入力ジャック
５  ベース
６  共通リセットスイッチ
７  赤緑青点灯スイッチ
８  ＡＣアダプター
９  ＬＥＤ光源基板
１０  ＬＥＤ光源基板固定用放熱板
１１  放熱板固定用
【図１】
0003161235.tif 000003
【図２】
0003161235.tif 000004
【図３】
0003161235.tif 000005
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
赤緑青のＬＥＤ光源（９）の前面に乳白色アクリル板（２）があり、赤緑青のＬＥＤ光源色が合成され、ＬＥＤ光源を直視しない明りであることを特徴とした照明器具。
【請求項２】
赤緑青のＬＥＤ光源（９）のＬＥＤを駆動する電気回路を設けて、赤緑青のＬＥＤ光源の点灯スイッチ３個（７）赤緑青のＬＥＤ光源を消灯する共通リセット／ＯＦＦスイッチ１個（６）の構成で点灯スイッチ１個から３個の操作で光原色をコントロールすることができ、共通リセット／ＯＦＦスイッチの操作で消灯することが、できることを特徴とする請求項１に記載のＬＥＤ照明器具。
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
赤緑青のＬＥＤ光源（９）の前面に乳白色アクリル板（２）があり点灯している赤緑青のＬＥＤ光源を直視すると、光源は刺激の強い光のため乳白色アクリル板を透すことでＬＥＤ光源を直視せず、乳白色アクリル板で合成された光源色になりＬＥＤ光源を直視しない明りであることを特徴としたＬＥＤ照明器具。
【請求項２】
赤緑青のＬＥＤ光源（９）のＬＥＤを駆動する電気回路を設けて、赤緑青のＬＥＤ光源の点灯スイッチ３個（７）赤緑青のＬＥＤ光源を消灯する共通消灯スイッチ１個（６）の構成で点灯スイッチ１個から３個の操作で光原色をコントロールすることができ、共通消灯スイッチの操作で消灯することができることを特徴とする請求項１に記載の、ＬＥＤ照明器具。
【手続補正２】
【補正対象書類名】明細書
【補正対象項目名】０００９
【補正方法】変更
【補正の内容】
【０００９】
【図１】この考案の本体図を示す。
【図２】この考案のＬＥＤ光源基板配列図を示す。
【図３】この考案のＬＥＤ光源を駆動する電気回路の基本図を示す。
【図４】この考案のＬＥＤ光源を駆動する電気回路の配線図を示す。
【図５】この考案のＬＥＤ光源の点灯と消灯のスイッチボード基板を示す。
【手続補正２】
【補正対象書類名】明細書
【補正対象項目名】００１１
【補正方法】変更
【補正の内容】
【００１１】図１は本体図で、本体ベース５にＬＥＤ光源の赤緑青点灯スイッチ７、赤緑青の共通消灯スイッチ６が構成されセード１に固定されたＬＥＤ光源基板前面に構成１の乳白色アクリル板２がある。乳白色アクリル板の位置は、ＬＥＤ光源表面から５０ｍｍの位置にある。この考案のＬＥＤ光源基板には赤緑青、合わせて１８０個のＬＥＤが固定されています。赤緑青ＬＥＤ光源を点灯した場合、直視しますと、光源は刺激の強い光のため、乳白色アクリル板を透すことでＬＥＤ光源を直視せず、乳白色アクリル板で合成された光源色になります。本体には、照明の向きを変えるアーム３、電源入力ジャック４、電源のＡＣアダプター８がある。
【手続補正３】
【補正対象書類名】明細書
【補正対象項目名】００１３
【補正方法】変更
【補正の内容】
【００１３】図３は、ＬＥＤ光源を駆動する構成３の電気回路を考える基本回路図です。この基本回路でも点灯操作はできますが、ｓ１ｓ２ｓ３の操作で赤緑青の点灯となり、消灯はｓ１ｓ２ｓ３の操作が必要になります。図４の電気回路を設けることで消灯はｓ４の共通消灯スイッチ１個の操作で作動します。この電気回路は点灯と消灯はプッシュスイッチを軽く押す操作で作動する特徴があります。図５は本考案のベースに実装したスイッチボード基板で実寸大です。スイッチボードには電気回路の全部品がプリント配線されてます。
【手続補正４】
【補正対象書類名】図面
【補正対象項目名】図３
【補正方法】変更
【補正の内容】
【図３】
0003161235.tif 000006
【手続補正５】
【補正対象書類名】図面
【補正対象項目名】図４
【補正方法】追加
【補正の内容】
【図４】
0003161235.tif 000007
【手続補正６】
【補正対象書類名】図面
【補正対象項目名】図５
【補正方法】追加
【補正の内容】
【図５】
0003161235.tif 000008